(57)【特許請求の範囲】
【請求項１】
隣接する第１の部屋と第２の部屋とを連通する開口の開口縁に配設した開口枠において、上記開口を開閉自在にする引戸の端部が挿入される戸じゃくり溝を開口枠の縦枠の枠内面に凹設し、この戸じゃくり溝より第１の部屋側に位置した枠内面に第１表層材を被着すると共に、該戸じゃくり溝より第２の部屋側に位置した枠内面に第２表層材を被着し、第１表層材を戸じゃくり溝の一方の溝側面に延ばすと共にこの一方の溝側面における溝底面に至る部位にまで連続して被着し、戸じゃくり溝の一方の溝側面と溝底面とがなす第１コーナ部分を構成する溝底面に凹設した取付溝に上記第１表層材の端部を嵌合し、第２表層材を戸じゃくり溝の他方の溝側面に延ばすと共にこの他方の溝側面を経て溝底面の表面全体を覆うように連続して被着し、この溝底面を覆った第２表層材の端部の端面を第１表層材の一方の溝側面に沿う部分に当接したことを特徴とする開口枠。
【発明の詳細な説明】
【０００１】
【発明の属する技術分野】
本発明は、異なる部屋間を連通させると共に開閉自在にする引戸を備えた開口の開口縁に設けられる開口枠に関する発明である。
【０００２】
【従来の技術】
従来から、図４に示すように、異なる部屋（第１の部屋Ａと第２の部屋Ｂ）間を連通すると共に開閉自在にする引戸Ｃを備えてなる開口Ｄの開口縁に配設する開口枠にあっては、開口Ｄを閉じた引戸Ｃの端部が挿入される戸じゃくり溝２が開口枠を構成する縦枠１の枠内面に凹設されているものである。ところで、上記縦枠１の枠内面のうち、戸じゃくり溝２より第１の部屋Ａ側に位置する枠内面の部位を第１内面３とすると共に、戸じゃくり溝２より第２の部屋Ｂ側に位置する枠内面の部位を第２内面４とすると、上記第１内面３の表面には第１表層材５が被着されると共に、上記第２内面４の表面には第２表層材６が被着され、そして、戸じゃくり溝２の表面には樹脂製のキャップ２０が被着されており、これによって縦枠１部分の外観の向上が図られている。つまり、第１の部屋Ａの景観に第１表層材５の色柄や意匠を合わせると共に、第２の部屋Ｂの景観に第２表層材６の色柄や意匠を合わせておくと、開口枠部分の景観には、第１表層材５や第２表層材６が第１の部屋Ａや第２の部屋Ｂに連続すると共にキャップ２０が第１の部屋Ａと第２の部屋Ｂとを仕切るような景観が現出され、それぞれの部屋に違和感のない景観を現出できるようになっているのである。
【０００３】
【発明が解決しようとする課題】
しかしながら、引戸Ｃが開口Ｄを閉じたときには、戸じゃくり溝２に挿入された引戸Ｃが第１の部屋Ａ及び第２の部屋Ｂを仕切るものであり、このとき開口枠部分の景観は、第１の部屋Ａ側に第１表層材５及びキャップ２０が露出されると共に、第２の部屋Ｂに第２表層材６及びキャップ２０が露出されるようになる。したがって、たとえ第１表層材５や第２表層材６を第１の部屋Ａや第２の部屋Ｂの景観に色柄や意匠を合わせるようにしても、第１の部屋Ａ及び第２の部屋Ｂの両方の部屋に露出するキャップ２０によって第１の部屋Ａまたは第２の部屋Ｂのいずれかの部屋の景観には違和感が生じてしまうものであり、これにより第１の部屋Ａまたは第２の部屋Ｂの景観が低下してしまうといった問題があった。
【０００４】
本発明は上記の点に鑑みてなされたものであり、部屋間に設けた開口を引戸で閉じたときにも、各部屋の景観を損ねないようにできる開口枠を提供することを課題とするものである。
【０００５】
【課題を解決するための手段】
上記課題を解決するために本発明に係る開口枠にあっては、隣接する第１の部屋Ａと第２の部屋Ｂとを連通する開口Ｄの開口縁に配設した開口枠において、上記開口を開閉自在にする引戸の端部が挿入される戸じゃくり溝２を開口枠の縦枠１の枠内面に凹設し、この戸じゃくり溝２より第１の部屋Ａ側に位置した枠内面に第１表層材５を被着すると共に、該戸じゃくり溝２より第２の部屋Ｂ側に位置した枠内面に第２表層材６を被着し、第１表層材５を戸じゃくり溝２の一方の溝側面７に延ばすと共にこの一方の溝側面７における溝底面９に至る部位にまで連続して被着し、戸じゃくり溝２の一方の溝側面７と溝底面９とがなす第１コーナ部分Ｅを構成する溝底面９に凹設した取付溝１０に上記第１表層材５の端部を嵌合し、第２表層材６を戸じゃくり溝２の他方の溝側面８に延ばすと共にこの他方の溝側面８を経て溝底面９の表面全体を覆うように連続して被着し、この溝底面９を覆った第２表層材６の端部の端面を第１表層材５の一方の溝側面７に沿う部分に当接したことを特徴とする。
これによると、第１の部屋Ａと第２の部屋Ｂとの間の開口Ｄを引戸Ｃで閉じたときに、第１の部屋Ａ側に露出される第１内面３及び該第１内面３と戸じゃくり溝２との角部分には第１表層材５が被着され、また、第２の部屋Ｂ側に露出される第２内面４及び該第２内面４と戸じゃくり溝２との角部分には第２表層材６が被着されているので、第１の部屋Ａには上記第１表層材５のみを露出させると共に、第２の部屋Ｂには第２表層材６のみを露出させることができ、したがって、引戸Ｃで開口Ｄを閉じたときの開口枠部分の外観によって各部屋の景観を損ねないようにできる。
【０００６】
また、第１表層材５及び第２表層材６の接続部分を戸じゃくり溝２のコーナ部分に合わせて位置させることができ、引戸Ｃが開口Ｄを開けたときに見える戸じゃくり溝２に収まりのよい外観を現出させることができる。
【０００７】
また、第１表層材５の戸じゃくり溝２側の端部を戸じゃくり溝２の溝底面９の取付溝１０に嵌合させることで、縦枠１に第１表層材５を被着する際の位置決めが容易に行われるものであり、第１表層材５の縦枠１への被着作業における作業性の向上を図ることができる。
【０００８】
【発明の実施の形態】
以下、本発明を添付図面に示す実施形態に基づいて説明する。
【０００９】
図１乃至図２に本発明の実施の形態の例を示す。図１は開口に配置した開口枠の縦枠１の上面図であり、図２は該縦枠１の上面図、正面図、側面図を示したものである。
【００１０】
本例の開口枠は上枠１３と１対の縦枠１とを枠組みして形成したコ字型枠体であり、第１の部屋Ａと第２の部屋Ｂとを連通させた開口Ｄの上面及び両側面の開口縁に配設されるものである。この開口枠の戸当たり部を構成する縦枠１は、その枠内面が部屋空間に露出される部分であってこの枠内面の表面には後述する表層材５，６が被着される。なお、この開口Ｄには折れ戸状の引戸Ｃが開閉自在に配設されることが想定され、この引戸Ｃに対応して開口枠の枠内面の第１の部屋Ａと第２の部屋Ｂとの間の略中央部分には上下に亘る戸じゃくり溝２が凹設されている。この戸じゃくり溝２は、開口Ｄを閉じた引戸Ｃの端部が挿入される溝である。なお、この戸じゃくり溝２内には縦枠１を開口Ｄの側面に固定させる為のビス等の固着具を挿通させる開口縁固定用貫通孔１１が上下に等間隔に複数個設けられている。ここで、戸じゃくり溝２は縦枠１の枠内面の中央部分に上下に亘って凹設されることから、枠内面はこの戸じゃくり溝２によって第１の部屋Ａ側の部位と第２の部屋Ｂ側の部位とに区切られる。以下、便宜上、戸じゃくり溝２より第１の部屋Ａ側に位置する枠内面の部位を第１内面３と称すると共に、上記戸じゃくり溝２より第２の部屋Ｂ側に位置する枠内面の部位を第２内面４と称する。また、上記第１内面３に連続する戸じゃくり溝２の溝側面は第１溝側面７（一方の溝側面）と称すると共に、上記第２内面４に連続する戸じゃくり溝２の溝側面は第２溝側面８（他方の溝側面）と称する。なお、図中１２は上枠固定用貫通孔であり、縦枠１と上枠１３とを連結させるビス等の固着具を挿通させる為の孔である。
【００１１】
上述したように縦枠１の枠内面の表面には表面材５，６が被着されるが、この表面材５，６は、枠内面の第１内面３から第１溝側面７に連続して被着される第１表層材５と、枠内面の第２内面４から第２溝側面８を経ると共に戸じゃくり溝２の溝底面９の表面全体に連続して被着される第２表層材６とで構成される。なお、戸じゃくり溝２の溝底面９と第１溝側面７とがなす第１コーナ部分Ｅを構成する溝底面９には、第１表層材５と略同厚さ寸法の溝幅を有した取付溝１０が第１コーナ部分Ｅの長さ方向に亘って凹設され、この取付溝１０には第１表層材５の戸じゃくり溝２側の端部が嵌合される。また、第２表層材６は、戸じゃくり溝２の溝底面９を被覆する部位が第１溝側面７に沿う第１表層材５と第２溝側面８との間に挟持される。そして、上記第１表層材５及び第２表層材６は上記第１コーナ部分Ｅの長さ方向に亘って当接して接続される。
【００１２】
なお、縦枠１はたとえば合板で形成され、また表層材（第１表層材５，第２表層材６）はたとえば表面に化粧シート等を貼着したＭＤＦボードで形成されている。上記表層材５，６は縦枠１の枠内面の表面形状に沿わせて連続して被着するものであるが、これは、縦枠１の枠内面に形成された角部に対応させて表層材５，６の裏面に断面三角形状の切り欠き１４を穿設していて、この切り欠き１４に沿って表層材５，６を表裏方向に折り曲げ可能にしてあるものであり、これにより縦枠１の表面形状に沿わせて表層材５，６を被着できるようにしてある。
【００１３】
上記構成の縦枠１にあって引戸Ｃが開口Ｄを閉じたときには、引戸Ｃ端部が戸じゃくり溝２内に嵌り込み、第１の部屋Ａ側には第１内面３及び該第１内面３と第１溝側面７との角部分が露出し、第２の部屋Ｂ側には第２内面４及び該第２内面４と第２溝側面８との角部分が露出する。上述したように、本例の縦枠１では、第１内面３及び第１溝側面７には第１表層材５が連続して被着され、また、第２内面４及び第２溝側面８には第２表層材６が連続して被着されているので、第１の部屋Ａには第１表層材５のみを露出させ、第２の部屋Ｂには第２表層材６のみを露出させることができるのである。これにより、それぞれの部屋から見た開口枠部分の外観を第１表層材５及び第２表層材６によって統一感のある良好な外観にすることができ、したがって、引戸が開口を閉じたときの開口枠部分の外観によって各部屋の景観が損なわれないようにできるのである
このとき、たとえば、第１の部屋Ａが和室であって第１表層材５をこの和室である第１の部屋Ａの景観に合わせたものにし、第２の部屋Ｂが洋室であって第２表層材６をこの洋室である第２の部屋Ｂの景観に合わせたものにすると、引戸Ｃが開口Ｄを閉じたときには、第１の部屋Ａ及び第２の部屋Ｂの景観が開口枠部分まで連続するようになり、各部屋に意匠性の高い部屋空間を現出させることができるのである。このように、本例の縦枠１を有した開口枠にあっては、引戸Ｃで開口Ｄを閉じた状態において、開口枠部分の外観をそれぞれの部屋の景観に合わせ、それぞれの部屋の景観の向上を図ることができるのである。
【００１４】
また、引戸Ｃが開口Ｄを開けたときには、縦枠１の枠内面全体が部屋空間に露出するものであるが、このときには、第１表層材５が第１内面３から第１溝側面７まで連続して被着されると共に、第２表層材６が第２内面４から第２溝側面８を経て溝底面９まで連続して被着されており、そして、第１表層材５及び第２表層材６が戸じゃくり溝２の第１コーナ部分Ｅに沿って接続されていることから、元来構造的に非連続性を有する部位であるコーナ部分に第１表層材５及び第２表層材６の接続部分を位置させることができ、部屋空間に露出される枠内面の外観に収まりのよい外観を現出させることができるのである。
【００１５】
このように、引戸Ｃが開口Ｄを開けた場合、引戸Ｃが開口Ｄを閉じた場合のいずれの場合でも、本例の開口枠の外観には各部屋の景観を損ねない良好な外観が現出されるのである。なお、上記縦枠１は、従来技術の縦枠１に比べてキャップ２０を用いていないため、部品点数を少なくでき、縦枠１における施工性または生産性の向上が図られているのである。また、上述したように戸じゃくり溝２の第１コーナ部分Ｅを構成する溝底面９には取付溝１０が凹設されると共に、この取付溝１０に第１表層材５の端部を嵌合させていることから、第１表層材５の位置決めを容易に行わせることができ、これによっても縦枠１における施工性または生産性の向上が図られているのである。
【００１６】
なお、図３に示すように、開口枠の上枠１３においても上述した縦枠１の構造を適用することもできる。つまり、戸じゃくり溝２の代わりに引戸Ｃをスライド自在にさせるレール溝１５を枠内面に設けることで、それ以外の構造は縦枠１の構造と同じようにできるのである。これによっても、上述した縦枠１と同様に上枠１３においても、引戸Ｃの開口Ｄへの開け閉めに関わらず開口枠部分の外観によって部屋の景観を損ねないようにできるのである。更に、図示はしないが、上枠１３及び縦枠１に加えて下枠を枠組みして矩形型枠体に開口枠を形成したものにおいて、この下枠の構造を上述した縦枠１や上枠１３と略同様の構造に構成することも好ましく、これによっても引戸Ｃの開口Ｄへの開け閉めに関わらず開口枠部分の外観によって部屋の景観を損ねないようにできるのである。
【００１７】
【発明の効果】
上記のように本発明の請求項１記載の開口枠にあっては、隣接する第１の部屋と第２の部屋とを連通する開口の開口縁に配設した開口枠において、上記開口を開閉自在にする引戸の端部が挿入される戸じゃくり溝を開口枠の縦枠の枠内面に凹設し、この戸じゃくり溝より第１の部屋側に位置した枠内面に第１表層材を被着すると共に、該戸じゃくり溝より第２の部屋側に位置した枠内面に第２表層材を被着し、上記第１表層材及び第２表層材を戸じゃくり溝の溝側面にそれぞれ延ばして被着したので、引戸が開口を閉じたときには、第１の部屋側には上記第１表層材のみが露出すると共に、第２の部屋には第２表層材のみが露出するようにでき、したがって、引戸が開口を閉じたときの開口枠部分の外観によって各部屋の景観が損なわれないようにできるのである。更に言うと、第１表層材に第１の部屋の景観に合わせた色柄や意匠を施し、第２表層材に第２の部屋の景観に合わせた色柄や意匠を施すと、引戸が開口を閉じて部屋が仕切られたときには、第１の部屋及び第２の部屋におけるそれぞれの部屋の景観が開口枠の外観にまで連続するようになり、第１の部屋及び第２の部屋に意匠性の高い部屋空間を現出させることができるのである。
【００１８】
また、第１表層材を戸じゃくり溝の一方の溝側面における溝底面に至る部位にまで連続して被着し、戸じゃくり溝の一方の溝側面と溝底面とがなす第１コーナ部分を構成する溝底面に凹設した取付溝に上記第１表層材の端部を嵌合し、第２表層材を戸じゃくり溝の他方の溝側面に延ばすと共にこの他方の溝側面を経て溝底面の表面全体を覆うように連続して被着し、この溝底面を覆った第２表層材の端部の端面を第１表層材の一方の溝側面に沿う部分に当接したので、第１表層材及び第２表層材の接続部分が戸じゃくり溝のコーナ部分に位置し、引戸が開口を開けたときに見える戸じゃくり溝に収まりのよい外観を現出させることができ、つまり引戸で開口を開放したときにも開口枠部分の外観の向上を図ることができるのであり、また、縦枠に第１表層材を被着する際の位置決めが容易に行われるものであり、第１表層材の縦枠への被着作業における作業性の向上を図ることができると共に、第２表層材の戸じゃくり溝の溝底面を被覆する部位を第１溝側面に沿う第１表層材と第２溝側面との間に挟持することができる。
【図面の簡単な説明】
【図１】本発明の実施の形態の例を示す開口への開口枠を配置した状態の縦枠部分の上面図である。
【図２】同上の開口枠の縦枠を示すものであり、（ａ）は正面図であり、（ｂ）は上面図であり、（ｃ）は側面図である。
【図３】本発明の実施の形態の他例を示す上枠の斜視図である。
【図４】従来技術を示す開口への開口枠を配置した状態の縦枠部分の上面図である。
【符号の説明】
１  縦枠
２  戸じゃくり溝
３  第１内面
４  第２内面
５  第１表層材
６  第２表層材
７  第１溝側面
８  第２溝側面
９  溝底面
１０  取付溝
Ａ  第１の部屋
Ｂ  第２の部屋
Ｃ  引戸
Ｄ  開口
Ｅ  第１コーナ部分
【図１】
0003669336.tif 000002
【図２】
0003669336.tif 000003
【図３】
0003669336.tif 000004
【図４】
0003669336.tif 000005